Podtech/llm-jp-corpus-v4-ja_patent huggingface dataset:
(57)【要約】【課題】  面ファスナーにゴミ、埃をつきにくくし、面ファスナー機能維持を継続することが簡単、便利にできるようにする面ファスナーを提供する。【解決手段】  洋服、バック等通常の面ファスナーを縫製する部位に、面ファスナーの大きさに合わせた網目状の面ファスナーカバーを縫製し、面ファスナーカバーの中に着脱できる面ファスナーを挿入する。【選択図】図１
2008229297.tif 000002
【特許請求の範囲】
【請求項１】
網目状のカバーをもうけ、面ファスナーを着脱式にしたことを特徴とした面ファスナーカバー。
【発明の詳細な説明】
【技術分野】
【０００１】  本発明は、面ファスナーにゴミ、埃がつきにくくし、面ファスナー機能の維持を継続することが簡単、便利にできるようにする技術に関する。
【背景技術】
【０００２】  従来の面ファスナーは洗濯時糸くず、埃等が雄雌状の圧着面に対し、絡むことがあり雄雌状の接合部分に圧力をかけても、接合力が弱くなり本来の機能が低下してしまった。また糸くず、埃等が雄雌状の圧着面につくことで、見た目にも美感を損ねるものだった。さらに、洗濯回数を重ねることによる摩擦で、雄雌の接合部分がすり減り接合力が弱くなり、本来の機能が低下してしまい不都合であった。
【発明が解決しようとする課題】
【０００３】  以上に述べた従来の構造には、次のような課題があった。本来面ファスナーの雄雌状の接合部は、圧着する事で雄雌状が互いに引っかかり、ファスナーの機能をはたす事ができる。この雄雌状の接合部が引っかかりやすいという機能のため、糸くず、埃等も雄雌状の接合部にからんでしまった。さらに毛糸のセーター等洋服の生地によっては、雄状の接合部で洋服の繊維を引っかけ毛羽立ててしまうことがあり、煩わしいことがあった。
【０００４】また、長期間の使用に対しては、洗濯等により雄雌状の接合部の摩擦により機能が低下してしまった。
【０００５】  本発明は、このような従来の構造が有していた問題を解決しようとするものであり、糸くず、埃等つきにくくし、ファスナーとしての接合力機能が持続する面ファスナー提供することを目的とするものである。
【課題を解決するための手段】
【０００６】  本発明は、面ファスナーを使用する洋服、バック等に対し、通常面ファスナーを縫製する部位に対し、面ファスナーの大きさに合わせた、面ファスナー用の袋状のカバーを縫製する。そして面ファスナーはカバーに対し着脱式にする。
【０００７】  上記の課題解決手段による作用は次の通りである。すなわち、反復使用することで摩耗等により機能が衰えた場合、面ファスナーは縫製されていないため、新しい面ファスナーに交換することが簡単にでき、面ファスナーとして接合機能維持ができる。
【発明の効果】
【０００８】  上述したように本発明は、洗濯時等必要のないときは面ファスナーを取り外し洗濯できるので、糸くず等雄雌状の接合部に巻き込むことがなく、洗濯後面ファスナーカバーに面ファスナーを入れ込むことで、常に機能を維持できる。
【０００９】  また、面ファスナーの機能の衰えにより、新しい面ファスナーを差し替え交換することも可能で常に機能を維持できる。
【００１０】  さらに、面ファスナーは圧着する事により接合する為、毛糸のセーター等に触れただけでは、網目状のカバーがあることにより、雄状の接合部に繊維が引っかかることがなく、快適に使用できる。
【発明を実施するための最良の形態】
【００１１】  洋服、バック等通常面ファスナーを縫製する部位に、面ファスナーの大きさに合わせた網目状のカバーを縫製する。【００１２】  そして、縫製した面ファスナーカバーに、面ファスナーを挿入する。【００１３】  網目の形状については、丸形、四角形、三角形、星形、キャラクター形等本発明の目的及び効果を生じる範囲で必要に応じて適宜変更して実施することも可能である。【００１４】  上記の構造により、脱着可能な面ファスナーを入れる面ファスナーカバーを縫製したことを特徴とする面ファスナーである。【００１５】  以下、本発明の実施の形態を図面に示した実施例に基づいて説明する。【００１６】  図１は、本発明にかかる面ファスナーカバーの実施例を示した正面図である。【００１７】  本発明の面ファスナーは、図１に示すように網目状面ファスナーカバー本体１、面ファスナー２で主要部が構成されている。【００１８】  以下、本発明の実施例を図面を参照して詳細に説明する。
【実施例】
【００１９】  図１に示すように、網目状の面ファスナーカバー本体１を洋服等対象物の部位に縫製する。【００２０】  次に、洋服等対象物の部位に縫製した網目状の面ファスナーカバーに面ファスナーを挿入する。【００２１】  なお、本発明は上記発明実施形態に限定されるものではなく、本発明の技術的思想に合致するものであれば、形状など適宜変更し実施することが可能である。
【図面の簡単な説明】
【００２２】
【図１】  本発明の実施例の網目状の面ファスナーカバー正面図
【符号の説明】
【００２３】    １    網目状の面ファスナーカバー
２    面ファスナー
３    面ファスナー取り付け被対象物
４    面ファスナーカバー縫製部位
【図１】
2008229297.tif 000003
(57)【要約】【課題】食器類を洗うとき、洗い桶に洗剤を入れ、水で規定の濃度に希釈して洗う。しかし、忙しい日常では正しく行われ難い。また、使った洗剤の溶液を捨てる基準はない。従って、まだまだ使える溶液を捨てている。洗剤の適正水溶液濃度の数百倍の原液を直接食器またはたわしにかけて洗うときも、洗剤の損失は大きい。家庭の排水による河川の水質汚染の原因の一つである。【解決手段】本発明は、洗剤の原液を一定の基準で薄める洗剤希釈皿をはめ置いたたわし台を提供する。希釈液は、水分を含んだたわしで少しづつ取り出して使う。【選択図】図１
2008229300.tif 000002
【特許請求の範囲】
【請求項１】
目の荒いかごの底部の１部分に取り外しが容易で内容積の指標がある洗剤希釈皿をはめ置いた流し用たわし台
【発明の詳細な説明】
【技術分野】
【０００１】  本発明は、台所などの流しに置くたわし台に関するものである。
【背景技術】
【０００２】  台所用洗剤は、薄める基準はあるが、捨てる基準は存在しない。【０００３】  現在食器類を洗うには、洗い桶を使う方法と、溶剤を直接かけて洗う方法が行われている。前者の場合、洗い桶に入れた洗剤原液を数百倍に水で薄めた溶液で洗い、残った水溶液を捨て、水で洗浄している。後者の場合は、水を含んだたわしか或いは食器類に、溶剤の原液を直接垂らして擦った後、水洗いをしている。しかし、どちらも洗剤消費量は野放し状態となる。
【発明の開示】
【発明が解決しようとする課題】
【０００４】  洗い桶の方法では、洗い桶に目盛りがあるとは限らないから、水と洗剤はいい加減に混ぜられ、食器を入れて洗った後の未だ使える多量の溶液を捨てている。これが家庭の排水による河川の水質汚染の原因の一つでもある。続いて、食器類を水で二回以上濯ぐので、水の使用量も多い。また、その後で大きい洗い桶の洗浄と収納という厄介な作業も付随している。【０００５】  洗剤の原液を直接使う方法では、薄める過程に基準はできず、洗い桶の水溶液の数百倍の高濃度の原液をそのまま使うので、原液の損失量は大きく、その上、原液を容器から取り出す頻度も多くて作業の効率は悪い。【０００６】  本発明は、台所の流しで使用される洗剤の使用量を抑制し、台所の作業を簡易化することを目的とするものである。
【課題を解決するための手段】
【０００７】  洗剤の原液を無駄なく効果的に使用するには、先ず一度原液を適切な濃度（５０〜１００倍程度）に水で希釈することである。そして、その溶液を少しずつ効率よく使用する方式をとる。また、作業効率を考慮して、流しのたわし台に希釈皿を置くことにする。【０００８】  適切に希釈した溶液を、水分を含んだたわしで、少しづつ付けだして使う。そして、たわしの洗浄力が落ちてくれば、また少し付ければよい。これで洗剤液使用量が激減する。
【発明の効果】
【０００９】  既述のように、本発明により、洗剤液の使用量は減少する。ある市販の原液の場合、水１リットルの原液使用量は１．５ミリリットル程度で、洗い桶を使用するときは約水２リットルを使うとすると、洗剤用量は約３ミリリットルを必要とする。本発明では、洗い桶に一杯入った食器を、希釈皿の溶液を少しづつたわしで取って洗った場合、実際に行ったおおまかな結果では、１００倍に薄めた溶液で５０ミリリットルあれば十分であった。洗剤の種類と、汚れの程度にもよるが、その消費量は、２分の１以下であるから、洗い桶を使う時は、半分以上の洗剤は無駄に捨てていることになる。使用濃度の数百倍の原液をかけるという乱暴な消費は論外である。【００１０】  本発明では、希釈液を徐々に使うので、洗剤使用量は節約できるし、家庭の排水による河川の水質汚染問題も多少はよくなる。【００１１】  洗い桶の場合は、食器類を一括して洗うので、汚れの種類と程度の区別なく洗剤溶液につかるので、汚れていないものも汚れて、無駄な作業も起こりうる。しかし本発明では、たわしに付く洗剤液の加減は勿論、たわしに付いた洗剤の泡の発生加減とか、擦る感触などで洗剤液の付着状態や劣化の程度が分かることもあるので、過剰な消費は防げる。大きい洗い桶の準備、洗浄、収納の手間はなくなる。【００１２】  原液を直接かけて洗うときは、容器から原液を度々取り出すので作業は面倒である。また一般に、原液は手を損傷し易い。本発明はこれらの課題も解消する。【００１３】  本発明の洗剤希釈皿には、内容量が示されるので、従来不安定であった濃度の調整は可なり正確に出来る。
【発明を実施するための最良の形態】
【００１４】  以下、本発明の実施の形態を図１〜２により説明する。【００１５】  図１は流しのコーナーに置くたわし台の１例である。１はたわし台で、ワイヤー構造により、ほぼ三角のかごを形成する。流しに置かれたものは、一般に数日でぬるぬるした異物が付着するので、表面積の少ない目の荒いかごにしている。２は支持脚で、傾斜した流しでたわし台１が水平になるように流しのコーナーに近い支持脚は短くなっている。【００１６】  ３は洗剤希釈皿でたわし台１の底部にはめ置かれている。溶液補充のため簡単に取り外すことが出来る。【００１７】  図２は、図１の洗剤希釈皿３の斜視図である。立ち上がり部分の防水面４は、洗い水や飛散水の侵入を防ぐものである。その上部はたわし台１のワイヤーに掛ける形になっている。５はフランジで、たわし台１の底のワイヤーに掛かる部分で、６は内容積の目盛りである。液面の傾斜を考慮して、目盛りは２か所以上設ける。
【図面の簡単な説明】
【００１８】
【図１】  本発明の実施形態の斜視図
【図２】  図１の洗剤希釈皿３の斜視図
【符号の説明】
【００１９】    １  たわし台
２  支持脚
３  洗剤希釈皿
４  防水面
５  フランジ
６  目盛
【図１】
2008229300.tif 000003
【図２】
2008229300.tif 000004
(57)【要約】【課題】端末を有数に使ったネットワークカメラサービスの処理方法【解決手段】事前に端末を登録し特定させる事により現在不特定の設定よりコンピュターの負担を減らせる他アクセス時のみの処理、余裕時の処理を分ける事により複数の端末を管理しサービスを合理的に提供する事が出来る様にする。【選択図】図１
2008022511.tif 000002
【特許請求の範囲】
【請求項１】
携帯電話を主体としたネットワークセキュリティーシステム
【発明の詳細な説明】
【技術分野】
【０００１】携帯電話によるネットワークカメラの動画操作システム
【背景技術】
【０００２】現在開発のシステムは同一サービスを全ての携帯で動画を受ける事は出来ない。
【発明の開示】
【発明が解決しようとする課題】
【０００３】携帯電話の機種別に異なるファイル形式を全てカバー出来なくてはならない。しかし現在のシステムはどれか１つのファイル形式をユーザー側が選ぶか又は１ファイル形式のみのサービスしかしていない、そこでこの発明は多種のファイル形式の異なる機種であってもユーザーに負担を掛ける事無く又サーバーの負担を最小限に抑えられる。
【課題を解決するための手段】
【０００４】  以上の課題を解決するために、事前にユーザー登録した端末のみアクセス可能とする事でセキリティーの確保とファイル形式の特定を可能とした。
【発明の効果】
【０００５】サーバーではアクセス時のみエンコードをしてリアルタイム表示を可能とした。
【図面の簡単な説明】
【０００６】
【図１】サーバーの中身役割を示したもの。
【図１】
2008022511.tif 000003
(57)【要約】【課題】既存の発芽穀物は栄養価・安全性・テイストなどを謳ってはいたが全てを高レベルで両立する事は不可能であった。【解決手段】流水発芽方法によって各種栄養素が低分子化されテイストは上昇する。次にガンマアミノ酪酸に代表される栄養素が出現または増量する。そして、流水環境下での発芽法により穀物に付着する雑菌などが流出するため安全性も保つことができる。この様に流水発芽製法により今まで以上に高品質の発芽穀物の提供が可能になる。【選択図】なし【特許請求の範囲】
【請求項１】
穀物を発芽加工させる事によって穀物に含まれる栄養素の増大、テイストの上昇またはカビ・一般生菌などの減少が出来る製法。
【発明の詳細な説明】
【技術分野】
【０００１】本発明は穀物を発芽させることが出来る方法としての製法である。
【背景技術】
【０００２】従来、穀物の発芽法として栄養素の上昇・テイストの上昇並びにカビ・生菌の減少と全てを両立できる製法は存在していなかった。
【発明の開示】
【発明が解決しようとする課題】
【０００３】既存の発芽製法は栄養素の上昇を求めた場合、カビ・生菌などの安全性は失われ、安全性を求めた場合は栄養素やテイストの減少など両立は不可能であった。
【課題を解決するための手段】
【０００４】流水発芽製法により栄養素・テイスト・安全性の全ての点において両立ができる。
【発明の効果】
【０００５】穀物を流水発芽製法によって各栄養素が低分子化される為、蛋白質はアミノ酸に変化し、糖質が多糖類から単糖類に変化する為、旨み・甘みが増す。
また、流水発芽法によってガンマアミノ酪酸などが出現・増量する。
その他の抗酸化物質などの栄養素も増量する。
そして流水発芽法により穀物に付着するカビや一般生菌などの雑菌類流出し減少する。
【発明を実施するための最良の形態】
【０００６】穀物を５〜５０度の水温の中で１〜７２時間水流を発生した環境下において浸漬させ発芽させる。
その後、穀物の胚芽部分が膨潤した段階で発芽状態とみなし、その状態と通常の穀物状態との対比で流水発芽製法の優位性が立証できる。
(57)【要約】【課題】穀物の中でも大豆・小麦・ピーナッツ・蕎麦などは従来アレルギー含有物質とされ万人が常に摂取できる状態には無く、アレルギー低減効果を前面に謳える商材は存在していなかった。【解決手段】穀物を発芽する事によって各種栄養素が低分子化される。中でも蛋白質が低分子化される為、蛋白質に含有されているアレルゲン物質が低分子化により消失又は減少する。この様な事から今後は発芽した穀物によるアレルギー低減作用が認められる為、万人に抵抗無く従来アレルギーを持つ穀物も摂取することができる。【選択図】なし【特許請求の範囲】
【請求項１】
穀物を発芽加工させる事によって穀物に含まれるアレルギー物質を消失または低減させることが出来る。
【発明の詳細な説明】
【技術分野】
【０００１】本発明は穀物アレルギーを低減させる方法として発芽加工が有用である。
【背景技術】
【０００２】従来、穀物アレルギー物質を低減させる具体的な方法は存在していなかった。
【発明の開示】
【発明が解決しようとする課題】
【０００３】アレルギー物質を含有している穀物は元来、アレルギーを持っている人は食べることはできなかった。
【課題を解決するための手段】
【０００４】穀物を発芽加工させる事によって穀物に含まれるアレルギー物質を消失または低減させることが出来る。
【発明の効果】
【０００５】穀物を発芽加工することによって各栄養素が低分子化される為、蛋白質はアミノ酸に変化し、アレルギーの原因になるアレルゲン物質が低分子化作用によって消失または減少するものである。
【発明を実施するための最良の形態】
【０００６】穀物を５〜５０度の水温の中で１〜７２時間特定環境下にて浸漬させる。
その後、穀物の胚芽部分が膨潤した段階で発芽状態とみなし、その状態と通常の穀物状態との対比で蛋白質に含有されるアレルゲン物質の含有量を測定する。【０００７】大豆の場合、上記製法によって主要アレルゲン（Ｇｌｙ  ｍ  Ｂｄ  ２８Ｋ、Ｇｌｙ  ｍ  Ｂｄ  ３０Ｋ、７Ｓグロブリン）が発芽加工後にＧｌｙ  ｍ  Ｂｄ  ２８Ｋおよび７Ｓグロブリンが消失し、Ｇｌｙ  ｍ  Ｂｄ  ３０Ｋは減少した。
(57)【要約】【課題】虫を殺傷することなく捕獲し、無傷で解放することができる捕獲容器、かつ、エアゾール式殺虫剤を使用する際に、環境汚染、健康被害を低減することができる害虫駆除方法を提供する。【解決手段】底部４がスライド式に開閉する容器１を虫にかぶせ、底部４をスライドさせて閉じることにより、虫を殺傷することなく捕獲し、底部４をスライドさせて開くことにより、虫を無傷で解放することができる容器。また、容器１を害虫にかぶせ、底部４を閉じて害虫を捕獲し、空気穴３からエアゾール式殺虫剤を容器内に噴射して、殺虫剤を大気中に拡散させることなく殺虫した後、害虫の死骸を容器ごと処分する。【選択図】図１
2008022838.tif 000002
【特許請求の範囲】
【請求項１】
容器１の底部４がスライド式に開閉する構造を特徴とし、容器１を虫にかぶせ、底部４をスライドさせて閉じることにより、虫を殺傷することなく捕獲し、底部４をスライドさせて開くことにより、虫を無傷で解放することを目的とする容器。
【請求項２】
容器１の下縁部に、底部支持部位２があり、底部４を支持部位２にスライドさせて載せることにより底部４を支える構造を特徴とする請求項１記載の容器。
【請求項３】
容器１に、空気穴３を備える構造を特徴とする請求項１、２記載の容器。
【請求項４】
底部４に、底部４の取っ手部分となるタブ５を備える構造を特徴とする請求項１、２、３記載の容器。
【請求項５】
請求項１、２、３、４記載の容器１、底部４で害虫を捕獲し、空気穴３からエアゾール式殺虫剤を容器内に噴射して、殺虫剤を大気中に拡散させることなく殺虫した後、害虫の死骸を容器ごと処分することを特徴とする害虫駆除方法。
【発明の詳細な説明】
【技術分野】
【０００１】  本発明は、虫を殺傷することなく捕獲し、無傷で解放することを目的とする捕獲容器、及び、その捕獲容器を用いた害虫駆除方法に関する。
【背景技術】
【０００２】  従来、虫を捕獲する容器及び装置は粘着材を使用し、捕獲した虫を殺傷した。【０００３】  また、害虫をエアゾール式殺虫剤で殺虫する場合、殺虫剤は大気中に拡散し、害虫に対する致死量以上の殺虫剤を多量に噴射する必要があった。更に、虫の死骸にも殺虫剤が付着しており、死骸を処分するまで殺虫剤が大気にさらされ、大気中に拡散した。
【発明の開示】
【発明が解決しようとする課題】
【０００４】  しかしながら、以上の技術によれば、虫の行動を抑制するために粘着材を使用するので、捕獲した虫を無傷で解放することはできず、家庭で飼育するキリギリス等の虫が逃げ出した場合、殺傷することなく捕獲し、無傷で虫籠に戻すことや屋外に放すことは不可能であった。【０００５】  また、害虫をエアゾール式殺虫剤で殺虫する場合、殺虫剤を噴射した直後から害虫の死骸を処分するまで、殺虫剤が大気中に拡散し続けるため、人が殺虫剤を吸い込む可能性が高く、健康面に不安があった。
そこで、本発明は、虫を殺傷することなく捕獲し、無傷で解放することができる容器、及び、エアゾール式殺虫剤から人を保護する害虫駆除方法を提供することを課題とする。
【課題を解決するための手段】
【０００６】  以上の課題を解決するために、本発明のうちで請求項１記載の発明は、容器１の底部４がスライド式に開閉する構造を特徴とし、容器１を虫にかぶせ、底部４をスライドさせて閉じることにより、虫を殺傷することなく捕獲し、底部４を開くことにより虫を無傷で解放することを目的とする容器である。【０００７】  請求項２記載の発明は、容器１の下縁部に、底部４の支持部位２があり、底部４を支持部位２に載せることで底部４を支える構造を特徴とする容器である。【０００８】  請求項３記載の発明は、容器１に、空気穴３を備える構造を特徴とする容器である。【０００９】  請求項４記載の発明は、底部４に、底部４の取っ手部分となるタブ５を備える構造を特徴とする容器。【００１０】  請求項５記載の発明は、請求項１、２、３、４記載の容器１、底部４で害虫を捕獲し、次に、空気穴３からエアゾール式殺虫剤を容器内に噴射して、殺虫剤を大気中に拡散させることなく殺虫した後、害虫の死骸を容器ごと処分することを特徴とする害虫駆除方法である。
【発明の効果】
【００１１】  以上説明したように、本発明によれば、虫を殺傷することなく捕獲し、虫を無傷で解放することが可能になる。【００１２】  また、殺虫剤を大気中に拡散させることなく害虫を駆除することができるので、殺虫剤が空気を汚す環境汚染、そして、人が殺虫剤を吸い込む健康被害を低減することが可能になる。
【発明を実施するための最良の形態】
【００１３】  以下、本発明の実施形態を、図示例と共に説明する。図２は、請求項１、２、３、４記載の実施例である。容器１を虫にかぶせ、底部４を支持部位２のない側から滑り込ませ、底部４を支持部位２に載せながら、さらにスライドさせ底部４を閉じることで、虫を殺傷することなく捕獲し、虫を解放したい任意の場所で、底部４をスライドさせて開くことにより、虫を無傷で解放することを目的とする容器である。【００１４】  図３は、請求項５の実施例である。容器１を虫にかぶせ、底部４を支持部位２のない側から滑り込ませ、底部４を支持部位２に載せながら、さらにスライドさせ底部４を閉じて虫を捕獲し、空気穴３からエアゾール式殺虫剤を容器内に噴射して、殺虫剤を大気中に拡散させることなく殺虫した後、害虫の死骸を容器ごと処分する。【００１５】「実施形態の効果」
この実施形態によれば、容器の構造が単純であるため、容器の形状を、維持できる強度の材質であれば、捕獲する虫の大きさ、重さに合わせ、色々な材料で作製できる。厚紙等でも容易、安価に作製できる。【００１６】「他の実施形態」
図４は、本発明の容器１、底部４の変形例である。容器１の形状は半球型、円柱型、四角柱等の多角柱型、四角錘等の多角錘型などでもよい。容器１の形状を変形する場合、底部４の形も容器１の形に適合させる必要がある。【００１７】  図１、２、３、４では空気穴３を容器１の上面に設置してあるが、空気穴３は容器１の側面に設置してもよい。【００１８】  図５は、本発明の容器１の下縁部にある底部支持部位２の変形例である。支持部位２は分割した形でもよい。
【図面の簡単な説明】
【００１９】
【図１】本発明の一実施形態を表す斜視図である。
【図２】本実施例の底部開閉の途中形態を表す斜視図である。
【図３】本実施例の底部を閉じ、空気穴から殺虫剤を噴射する形態を表す斜視図である。
【図４】本発明の変形例である四角柱型容器の一実施形態を表す斜視図である。
【図５】本発明の変形例である分割型の底部支持部位を表す斜視図である。
【符号の説明】
【００２０】  １  容器
２  底部支持部位
３  空気穴
４  底部
５  タブ部
６  虫
７  害虫
８  エアゾール式殺虫剤
【図１】
2008022838.tif 000003
【図２】
2008022838.tif 000004
【図３】
2008022838.tif 000005
【図４】
2008022838.tif 000006
【図５】
2008022838.tif 000007
(57)【要約】【課題】大豆イソフラボンが注目され、含有量などの記載が積極的になされているが実際体内においての摂取率は分子量が大きな為あまり効率良く吸収されてはいなかった。【解決手段】大豆を発芽する事によって各種栄養素が低分子化される。中でもイソフラボン類が低分子化される為、イソフラボン類の中でも最も分子量が小さく、栄養効果が有用とされるアグリコン型イソフラボンが増加する。この様な事から今後は発芽大豆によるイソフラボンの効率的な摂取または効果がより一層期待できる。大豆を原料とするあらゆる製品への流用が可能であり、期待される。【選択図】なし【特許請求の範囲】
【請求項１】
大豆を発芽加工させる事によって大豆に含まれるイソフラボンの中でも有用とされるアグリコン型イソフラボンが増量する。
【発明の詳細な説明】
【技術分野】
【０００１】本発明は大豆イソフラボンを増加させる為に発芽加工が有用である。
【背景技術】
【０００２】従来、大豆イソフラボンを増加させる具体的な方法は存在していなかった。
【発明の開示】
【発明が解決しようとする課題】
【０００３】抗酸化効果や美容などで謳われているイソフラボンの中でも有用とされるアグリコン型イソフラボンが増量することにより、今まで以上に摂取効果が期待できる。
【課題を解決するための手段】
【０００４】大豆を発芽加工させる事によって各種栄養素が低分子化される為、イソフラボン類も同様に低分子化される為、分子量の小さなアグリコン型のイソフラボンが増量される。
【発明の効果】
【０００５】イソフラボン類の中でも、分子量の小さなアグリコン型のイソフラボンが増量されることにより、体内でのイソフラボンの栄養吸収率が大幅に上昇する。
尚、アグリコン型イソフラボンが美容・抗酸化などに最も効果があるとされている。
【発明を実施するための最良の形態】
【０００６】穀物を５〜５０度の水温の中で１〜７２時間特定環境下にて浸漬させる。
その後、穀物の胚芽部分が膨潤した段階で発芽状態とみなし、その状態と通常の穀物状態との対比で大豆に含有されるイソフラボンの含有量を測定する。
(57)【要約】【課題】従来の技術は電力を用い高価な物であったり、特定の部位のみのマッサージ器などは存在していたが、人体のどの部位にも作用する手動による脂肪のもみ出し具は存在していなかった。【解決手段】操作者は片手又は両手で握り柄Ｃを持ち、脂肪のもみ出しを所望する部位に圧接し、強く押し当て上下することにより表面に突起ＦをもつローラーＥが回転し、脂肪をもみ出す。【選択図】図１
2008022882.tif 000002
【特許請求の範囲】
【請求項１】
内周に螺旋凹部と外周に握り柄を施し内周中空部に往復運動可能となる為のバネを先入させた本体上部と先端に回転自在なる球体を埋設した螺旋凸部と、先端には本体下部の垂直方向に対し直角方向に表面に突起を施した回転自在なるローラーを保持した本体下部を前記本体上部の下端より差し込んだ構成により成り、操作者が握り柄を把持し押し下げることにより前記本体上部の内周に施した螺旋凹部に前記本体下部の外周に施した螺旋凸部をかみ合わせて上下運動をすることにより前記本体下部が回転し、前記表面に突起を施した回転自在なる前記ローラーが回転する手段によって構成され、操作者のもみ出し所望部位の贅肉をもみ出す手動による脂肪もみ出し具。
【発明の詳細な説明】
【技術分野】
【０００１】
本発明は脂肪もみ出し具に関する。
【背景技術】
【０００２】
贅肉のもみ出し及びマッサージを所望する人体の各部位へ押し付け、手動による往復の直線運動を回転運動に変え、表面に突起を施したローラーの回転作用により贅肉をもみ出す器具は存在していなかった。
【特許文献１】特開２０００−１５２９７０
【特許文献２】登録実用３０９６８９８
【特許文献３】登録実用３０９８５０３
【発明の開示】
【発明が解決しようとする課題】
【０００３】
身体のマッサージのみには効果があるが、同時に脂肪をもみ出すには課題が残されていた。（特許文献１）
【０００４】
身体の特定部位のマッサージのみには効果があるが、任意の部位をマッサージするには課題が残されていた。（特許文献２）
【０００５】
電力を必要とするために経済的な側面に課題は残されていた。（特許文献３）
【課題を解決するための手段】
【０００６】
本発明は背景技術に残されていた課題を解決しようとするものであり、操作者は片手又は両手で握り柄Ｃを把持し、贅肉のもみ出しを所望する部位に圧接し、強く押し当て上下させることにより表面に突起ＦをもつローラーＥが本体上部Ａに施した螺旋凹部と本体Ｂに施した螺旋凸部の働きにより操作者の自在に回転した後、バネＤの働きにより上下に出没自在になる該脂肪もみ出し具を提供し、脂肪をもみ出す。
【発明の効果】
【０００７】
本発明は不特定の場所でも随時使用することが可能であり、脂肪のもみ出しは人体の腹部に限定せず、肩、背中、上肢及び下肢など任意の部位に使用することが可能である。又、操作者が力の強弱と速度を加減することにより、筋肉のもみほぐし効果とマッサージ効果及び贅肉のもみ出し効果を自在に選択することが可能であり、手動でなおかつ小型軽量であるため持ち運びも容易で経済的にも安価に提供することが可能である。
【発明を実施するための最良の形態】
【０００８】
本発明を実施するための最良の形態を図面を参照して説明する。図１は操作者が片手      で握り柄Ｃを把持し、脂肪のもみ出しを所望する腹部に該脂肪もみ出し具を圧接し、強く押し当て上下させ表面に突起ＦをもつローラーＥが本体上部Ａに施した螺旋凹部と本体Ｂに施した螺旋凸部の働きにより操作者の自在に回転した後、バネＤの働きにより上下に出没自在になる動きをなして後、所望する部位の贅肉をもみ出す。
【０００９】
図２は本発明による脂肪のもみ出し具の断面図である。本体上部Ａの外周に握り柄
Ｃを施し、本体上部Ａの内周中空部にはバネの作用により出没自在となるためのバネＤを先入させ、内壁に螺旋凹部Ｉを施す。外周に回転自在なる球体Ｊを埋没した螺旋凸部を本体上部Ａの下端よる差込本体下部Ｂの垂直方向に対し直角方向に保持し表面に突起Ｆを施した回転自在なるローラーＥである。操作者が握り柄Ｃを把持し贅肉のもみ出し所望部位に圧接し押し下げることにより、前記本体上部Ａの内周に施した螺旋凹部に前記下部の外周に施した螺旋凸部をかみ合わせて上下運動をすることにより前記ローラーＥが回転し操作者の贅肉をもみ出し所望部位の脂肪を表面に突起ＦをもつローラーＥの回転作用により脂肪をもみ出すものである。
【００１０】
図３は本体下部Ｂの先端部の図である。ローラーＥの表面には突起Ｅを施し先端Ｇは最先端に近づくに従いその外周は狭くなる構造であり、もみほぐしの機能を有している。
【００１１】
図４は本体上部Ａの内周に施した螺旋凹部Ｉと外周に施した先端に回転自在なる球体Ｊを埋没した本体下部のＢ螺旋凸部を表した図である。
【実施例】
【００１２】
本発明は脂肪のもみ出しのみに効果が発現されるとは限定されず、按摩効果、マッサージ効果も兼備している。
【００１３】
本発明の別の実施例としては、もちをこねる、パン生地をこねるなど食品加工の分野でも大いに効果を上げることも可能である。
【００１４】
本発明の別の実施例としては、硬直した筋肉及び神経に刺激を与えるなどのリハビリとしての医療行為に於いても充分にその効果を発現する。
【００１５】
本発明の脂肪のもみ出し具を使用する部位は図面では腹部を示してあるが、腹部に限定されることは無く、上肢、下肢、胴体及び頭部など人体のあらゆる部位に於いて使用が可能である。
【図面の簡単な説明】
【００１６】
【図１】本発明の一実施例を示す操作状態図である。
【図２】本発明の一実施例を示す断面図である。
【図３】本発明の一実施例を示す平面図である。
【図４】本発明の一実施例を示す螺旋凹部凸部の断面図である。
【符号の説明】
【００１７】
Ａ  本体上部
Ｂ  本体下部
Ｃ  握り柄
Ｄ  バネ
Ｅ  ローラー
Ｆ  突起
Ｇ  先端
Ｈ  螺旋凸部
Ｉ  螺旋凹部
Ｊ  球体
【図１】
2008022882.tif 000003
【図２】
2008022882.tif 000004
【図３】
2008022882.tif 000005
【図４】
2008022882.tif 000006
(57)【要約】【課題】  携帯ゲーム機のカセットには、紐通し用の穴が無く、首からカセットを吊るす事ができない為、幼児や小学低学年の子供が携帯ゲーム機を持って外で遊ぶ際に、カセットを複数個ポケットに入れて持ち歩いて、よく紛失してしまう。又、カセットは、小さい為、捜す事が困難である。この様な不都合を解決すること。  又、友達同士でカセットを間違えて持ち帰る等のトラブルを防止することも同時に解決すること。【解決手段】携帯ゲーム機のカセットに紐を通すことが可能な部分を設けて、カセットに首掛け紐を取り付けることにより、この課題を解決する。【選択図】図１
2008022871.tif 000002
【特許請求の範囲】
【請求項１】
側面の一部に紐通し用の部分を設けたことを特徴とする携帯ゲーム機のカセット。
【発明の詳細な説明】
【技術分野】
【０００１】
本発明は、携帯ゲーム機のカセット（ゲームのプログラムが書かれているソフト）に関するものであり、カセットの形状に工夫を加えることによって、カセットに首掛け紐を通すことにより、カセットの紛失を防止する為のものである。
【背景技術】
【０００２】
従来から、対象物の紐通し穴に首掛け紐等を通して利用されている。この例として、特許文献１に開示されているものがある。
【特許文献１】特開２００４−５７２８９号公報
【非特許文献１】特になし。
【発明の開示】
【発明が解決しようとする課題】
【０００３】
しかし、携帯ゲーム機のカセットには、紐通し用の穴が無く（図２）、首からカセットを吊るす事ができない為、幼児や小学低学年の子供が携帯ゲーム機を持って外で遊ぶ際に、カセットを複数個ポケットに入れて持ち歩いて、よく紛失してしまう。又、カセットは、小さい為、捜す事が困難である。実際に、自分の子供や子供の友達が紛失した時に、紛失しない様、言い聞かせるものの遊びに夢中になっているせいかやはり紛失してしまう。又、友達同士でカセットを間違えて持ち帰る等のトラブルもよく発生している。そこで、紛失、トラブルを防止する為に、カセットに紐通し用の穴が無い不都合を解決する事を課題とする。
【課題を解決するための手段】
【０００４】
この課題を解決する為の請求項目１の発明は、側面の一部に首掛け紐を通すことが可能な部分を設けたことを特徴とする、携帯ゲーム機のカセットである。紐を通せる部分に、首掛け紐を取り付けることにより、カセットを紛失することを防止できる。
【発明の効果】
【０００５】
本発明により、カセットに紐通し用の穴が無い為に首掛け紐を取りつけることができないという不都合はおきず、カセットを首から吊るす事ができる。その事により、カセットを身体から離す事が無くなり、紛失することを防止できる。
【発明を実施するための最良の形態】
【０００６】
図１は、側面の一部に首掛け紐を通す部分を設けたことを特徴とする、携帯ゲーム機のカセットの全体図である。同図に示すように、首掛け紐を通す部分に首掛け紐を通して、カセットを首から吊るす事により、紛失を防止できる。又、ジョイント付の首掛け紐を取り付けることにより、家で携帯ゲーム機を使用する時は、首掛け紐をはずせる為、邪魔にならない。
【０００７】
これら部品の材料は、樹脂、プラスチック等の通常のものでよい。又、形状の長さや厚み、穴の位地等に変更を加えたものとしてもよい。
【実施例】
【０００８】
図３は、実際に、首掛け紐をカセットに取り付けて、カセットを携帯ゲーム機本体に接続して、使用しているイメージ図である。同図に示すように、複数個のカセットを持ち歩く場合は、使用していないカセットをそのままポケットに入れれば、邪魔にならない。
【産業上の利用可能性】
【０００９】
本発明に係る携帯ゲーム機のカセットは、工業的に量産する事が可能であるため、産業上の利用可能性を有する。
【図面の簡単な説明】
【００１０】
【図１】側面の一部に、首掛け紐を通す部分を設けたカセットの全体図ある。
【図２】従来のカセットの全体図ある。
【図３】実際に、首掛け紐をカセットに取り付けて、カセットを携帯ゲーム機本体に接続して、使用しているイメージ図である。
【符号の説明】
【００１１】
１        首掛け紐を通す部分
２        側面の一部に首掛け紐を通す部分を設けたカセット
３        カセットと携帯ゲーム機本体の接続部分
４        従来のカセット
５        カセットと携帯ゲーム機本体の接続部分
６        カセットを使用している方の首掛け紐
７        カセットを使用していない方の首掛け紐
８        携帯ゲーム機本体
【図１】
2008022871.tif 000003
【図２】
2008022871.tif 000004
【図３】
2008022871.tif 000005
(57)【要約】【課題】従来の製品よりさらに消費者の美容・健康・ヘルシー志向に対応した加工食品を製造・供給する。【解決手段】本発明は従来の加工食品と同様の製造過程に、主原料として体内での糖質吸収抑制効果の高い白色インゲンマメ製豆乳を使用することにより課題を解決している。【特許請求の範囲】
【請求項１】
有効成分ファセオラミン（商標）を含有し、使用により体内での糖質吸収抑制効果の加工食品の製造可能な白色インゲンマメ製豆乳
【発明の詳細な説明】
【技術分野】
【０００１】  本発明は、加工食品（豆製品）の豆乳に関するものである。
【背景技術】
【０００２】  従来の大豆製豆乳には体内での糖質吸収抑制効果はなかった。また左記の効果がある白色インゲンマメは、豆類として現物を加熱調理する以外の摂取方法はほとんどなかった。
【発明の開示】
【発明が解決しようとする課題】
【０００３】  従来白色インゲンマメは豆類として加熱調理して食す以外の摂取方法はほとんどなかった。しかし、先頃白色インゲンマメ含有の栄養素ファセオラミン（商標）の体内での糖質吸収抑制効果が研究により証明され、多くの消費者が白色インゲンマメに注目するようになった。それに伴い、充分な加熱調理が非常に面倒な白色インゲンマメをわざわざ調理せずに手軽に摂取できる加工食品の需要も高まった。従って白色インゲンマメを原材料に豆乳を製造・使用することで従来なかった体内での糖質吸収抑制効果のある加工食品が製造でき、消費者の美容・健康・ヘルシー志向に対応した商品が供給可能となる。このようにして前述の欠点を解消しようとするものである。
【課題を解決するための手段】
【０００４】  本発明は、豆製品の豆乳の製造に白色インゲンマメを原材料として使用、加工食品の製造に利用することにより問題点を解決している。
【発明の効果】
【０００５】  上述のように、本発明の白色インゲンマメ製豆乳には体内での糖質吸収抑制効果がある。このため加工食品製造に利用することによりさらに消費者の美容・健康・ヘルシー志向に対応した商品が製造可能となる。
【発明を実施するための最良の形態】
【０００６】  従来の大豆製豆乳の主原料の大豆の代替に白色インゲンマメ（マメ科インゲン（ササゲ）の実（可食部）を使用して製造する。その他原材料、製造方法に関しては従来の大豆製豆乳に同じだが必要に応じて適宜変更可能である。尚、ファセオラミンは過剰摂取により嘔吐、下痢、皮フ炎等の副作用があるため白色インゲンマメ（製豆乳）自体の大量摂取は禁物であり、摂取量の目安は一食１．５グラム程度（一日５グラム以内）である。よって白インゲンマメ製豆乳の直接の飲用は避け、加工食品（菓子、清涼飲料水、その他）の原材料としてのごく少量の使用が好ましい。また使用した製品にはファセオラミン過剰摂取の危険性を明示した注意文を必ずパッケージに記載する。
【実施例】
【０００７】  以下、一実施例を説明する。白色インゲンマメ製豆乳の原材料および製造方法に関しては基本的に従来の大豆製豆乳とほぼ同じだが、大豆の代替に白色インゲンマメ（マメ科インゲン（ササゲ）の実（可食部）を使用する。尚、その他の点に関して適切なものがあった場合は適宜変更可能で【０００８】  当該製品の製造にあたり、一例として清涼飲料水（ジュース）を用い説明する。従来の清涼飲料水の原材料の牛乳、クリーム、ホエー等の乳性タンパク成分の代替に（または併せて）白色インゲンマメ製豆乳を使用することで糖質吸収抑制効果のある清涼飲料水が製造可能となり、消費者が糖質の過剰摂取の心配なく飲用することが可能になる。【０００９】  本発明は清涼飲料水以外にもコーヒー飲料、茶飲料、乳飲料その他飲料全般や酒類全般、菓子をはじめとする加工食品等への適用が可能である。また、これ以外にも適用がふさわしいと判断される場合は適宜使用可能である。【００１０】  当該製品の製造にあたり製品内のファセオラミン含有量は製品一ヶにつき１．５グラム以内とし、必要に応じて適宜変更可能とする。ただし、消費者がファセオラミン過剰摂取に至らず、安全であると判断される場合のみ製造・販売可能とする。また製品にはファセオラミン過剰摂取の危険性を明示した注意文をパッケージの目につく部分に必ず記載する。【００１１】  尚、本発明は乳性タンパク成分の代替のみならず、大豆タンパク、肉類、他動物性および植物性タンパク質や脂肪分の代替として（または併せて）の使用も可能である。また、これ以外にも当該製品の適用がふさわしいと判断される場合は適宜使用可能である。【００１２】  当該製品の製造および販売にあたり、特許権・商標権・意匠権・著作権、知的所有権・知的財産権その他の権利問題が一切発生しない場合のみ採用可能とする。
(57)【要約】【課題】本発明は、ベッドフレームに設けた慣性装置を用い、各脚部に設けたリニアアクチュエータを制御し、ベッドフレームの空間安定を行うことを目的とする。【解決手段】本発明による空間安定ベッドは、ベッドフレーム(1)に慣性装置(10)と制御装置(11)を設け、各脚部(4)にリニアアクチュエータ(5)を設け、慣性装置(10)の慣性信号(10a)を用いて各リニアアクチュエータ(5)を制御し、ベッドフレーム(1)を常に水平に保つようにした構成である。【選択図】図１
2008022949.tif 000002
【特許請求の範囲】
【請求項１】
マット(3)を有するベッドフレーム(1)と、前記ベッドフレーム(1)の脚部(4)に設けられた複数のリニアアクチュエータ(5)と、前記リニアアクチュエータ(5)の下部に設けられたローラ(7)と、前記ベッドフレーム(1)に設けられた慣性装置(10)及び制御装置(11)と、を備え、
前記ベッドフレーム(1)の移動時における姿勢を前記慣性装置(10)で検出し、前記慣性装置(10)からの慣性信号(10a)に基づき前記制御装置(11)を介して前記各リニアアクチュエータ(5)が駆動され、前記ベッドフレーム(1)の水平状態を保つようにしたことを特徴とする空間安定ベッド。
【請求項２】
前記リニアアクチュエータ(5)はボールスクリュ型により構成され、かつ、直線位置センサ(6)が設けられていることを特徴とする請求項１記載の空間安定ベッド。
【発明の詳細な説明】
【技術分野】
【０００１】
本発明は、空間安定ベッドに関し、特に、慣性装置、制御装置及びリニアアクチュエータを用いて、移動時のベッドフレームの水平姿勢を保ち、絶対安静患者等を安全に搬送することができるようにするための新規な改良に関する。
【背景技術】
【０００２】
従来、用いられていたベッドとしては、特許文献等を特に示していないが、一般に、ベッドフレームに設けられた各脚部の下部にはローラが設けられ、マット上に患者をのせて、搬送していた。
【発明の開示】
【発明が解決しようとする課題】
【０００３】
従来のベッドは、以上のように構成されていたため、次のような課題が存在していた。
すなわち、各脚部には直接ローラが設けられていたため、床上でベッドを移動すると、床の凹凸によってベッドが上下動あるいは揺動することになり、例えば、重症又は絶対安静等の患者を搬送することは極めて困難であった。
【課題を解決するための手段】
【０００４】
本発明による空間安定ベッドは、マットを有するベッドフレームと、前記ベッドフレームの脚部に設けられた複数のリニアアクチュエータと、前記リニアアクチュエータの下部に設けられたローラと、前記ベッドフレームに設けられた慣性装置及び制御装置と、を備え、前記ベッドフレームの移動時における姿勢を前記慣性装置で検出し、前記慣性装置からの慣性信号に基づき前記制御装置を介して前記各リニアアクチュエータが駆動され、前記ベッドフレームの水平状態を保つようにした構成であり、また、前記リニアアクチュエータはボールスクリュ型により構成され、かつ、直線位置センサが設けられている構成である。
【発明の効果】
【０００５】
本発明による空間安定ベッドは、以上のように構成されているため、次のような効果を得ることができる。
すなわち、ベッドフレームに設けられた慣性装置及び制御装置によって脚部に設けられたリニアアクチュエータの動作を制御し、ベッド移動時におけるベッドフレームの水平姿勢（空間安定）を保つことができ、重傷及び絶対安静等の患者の安全な搬送を行うことができる。
従って、病院内における各設備のレイアウトも、従来よりも都合の良いように変更でき、レイアウトの自由度を上げることができる。
【発明を実施するための最良の形態】
【０００６】
本発明は、慣性装置、制御装置及びリニアアクチュエータを用いて、移動時のベッドフレームの水平姿勢を保ち、絶対安静患者等を安全に搬送することができるようにした空間安定ベッドを提供することを目的とする。
【実施例】
【０００７】
以下、図面と共に本発明による空間安定ベッドの好適な実施の形態について説明する。
図１において符号１で示されるものは、全体形状で長方形の枠形をなすベッドフレームであり、このベッドフレーム１上には、患者２をのせるためのマット３が設けられている。
【０００８】
前記ベッドフレーム１の下部の四隅に設けられた各脚部４には、リニアアクチュエータ５が設けられ、各リニアアクチュエータ５の伸縮によってベッドフレーム１の高さが変えられるように構成されている。
前記各リニアアクチュエータ５には、図示していないが、周知のＬＶＤＴ等からなる直線位置センサ６が設けられ、このリニアアクチュエータ５の下部にはキャスタとしてのローラ７が設けられている。
【０００９】
前記ベッドフレーム１の下面には、周知の慣性装置１０と制御装置１１が設けられ、この慣性装置１０はジャイロ１２、加速度計１３を有して構成され、電源部１４Ａからの電源によって駆動されるように構成されている。
【００１０】
前記制御装置１１は、前記慣性装置１０からの慣性信号１０ａが入力されることにより制御演算部１４で必要とする演算が行われ、駆動部１５では前記制御演算部１４からの制御信号１４ａに基づき各リニアアクチュエータ５の伸縮駆動が行われる。
尚、各リニアアクチュエータ５に設けられている直線位置センサ６からの位置信号６ａは前記制御装置１１に入力され、各リニアアクチュエータ５の駆動に用いられている。
【００１１】
従って、前述の構成において、ベッドフレーム１のマット３上に患者２をのせて、ベッドフレーム１を押すと、各ローラ７を介してベッドフレーム１は移動するが、この場合、床面の凹凸によって脚部４を介してベッドフレーム１の水平状態が変化しようとするが、この変化状態は迅速に慣性装置１０によって検出され、制御装置１１によって各リニアアクチュエータ５が伸縮駆動され、ベッドフレーム１は常に水平に保たれ、患者２の水平姿勢を保つことができ、任意の場所への搬送が可能となる。
【図面の簡単な説明】
【００１２】
【図１】本発明による空間安定ベッドを示す構成図である。
【図２】図１の斜視図である。
【図３】図１の各部の制御ブロック図である。
【符号の説明】
【００１３】
１    ベッドフレーム
３    マット
４    脚部
５    リニアアクチュエータ
６    直線位置センサ
７    ローラ
１０    慣性装置
１１    制御装置
【図１】
2008022949.tif 000003
【図２】
2008022949.tif 000004
【図３】
2008022949.tif 000005
(57)【要約】【課題】  整髪剤を使わず簡便に寝癖直しを実施する寝癖直し具を提供する。【解決手段】本体（１）内部に空洞のある樹脂層（２）を格納し一体化することを特徴とする。【選択図】    図１
2008022948.tif 000002
【特許請求の範囲】
【請求項１】
本体（１）内部に樹脂層（２）を格納し一体化した寝癖直し具。
【発明の詳細な説明】
【技術分野】
【０００１】
この発明は、整髪剤を使わず水だけで寝癖を直す寝癖直し具に関するものである。
【背景技術】
【０００２】
従来の寝癖直しは整髪剤によるものが多かったが、なかなか簡単に寝癖が直らず時間がかかるものが多かった。
【発明の開示】
【発明が解決しようとする課題】
【０００３】
これには次のような欠点があった。
朝起きてから出勤・登校までに時間があまりない場合は整髪に時間をかけることができない。
熱いタオルを当てる方法もあるが簡便でなく、火傷の危険もある。
本発明は、以上の欠点を解決するためになされたものである。
【課題を解決するための手段】
【０００４】
本体（１）内部に樹脂層（２）を格納し一体化する。樹脂層（２）内部は空洞になっており、そこに手を入れることができる。
本発明は、以上の構成よりなる寝癖直し具である。
【発明の効果】
【０００５】
本発明を使用することによって、短時間で強力な寝癖直しを実施することができ効率的である。また、樹脂部が水蒸気の熱を遮断し、防水性もあるため手を火傷をすることもない。
【発明を実施するための最良の形態】
【０００６】
以下、本発明の実施の形態を説明する。
吸水性のある本体（１）内部に樹脂層（２）を格納し一体化する。
樹脂層（２）の内部は空洞となっており、手を入れることができる。
本発明は、以上の構成よりなっている。
本発明を使用するときは、本体に湯を浸み込ませる。あるいは水を浸み込ませてから電子レンジで加熱するなどして掌部に蒸気を保持した状態にしてから、手を差し込み、掌部を寝癖のある部分に当てて寝癖を解消する。
【図面の簡単な説明】
【０００７】
【図１】本発明の透視図
【図２】本発明の準備状態を示す斜視図
【図３】本発明の準備完了状態を示す斜視図
【図４】本発明の使用状態を示す斜視図
【符号の説明】
【０００８】
本体
樹脂層
人間の頭部
【図１】
2008022948.tif 000003
【図２】
2008022948.tif 000004
【図３】
2008022948.tif 000005
【図４】
2008022948.tif 000006